(57)【要約】【課題】本発明の目的は、省エネルギー化が実現される冷暖房システムを提供することである。【解決手段】冷暖房システムは、２階以上の上層階２０の部屋２１Ａの床下の床下空間２５Ａに配置された蓄熱材４１Ａと、地下又は半地下の蓄熱槽１５と、送気システム３０とを具備する。部屋２１Ａの床２２Ａに部屋２１Ａ内と床下空間２５Ａを連通する通気口２３Ａが設けられる。送気システム３０は、屋根面２と太陽電池パネル３の間の屋根上空気通路４から取り込んだ空気を床下空間２５Ａに吹き出す第１状態と、蓄熱槽１５から取り込んだ空気を床下空間２５Ａに吹き出す第２状態とをとる。【選択図】図１
2010230200.tif 000002
【特許請求の範囲】
【請求項１】
２階以上の上層階の第１部屋の床下の第１部屋床下空間に配置された第１蓄熱材と、
地下又は半地下の蓄熱槽と、
第１送気システムと
を具備し、
前記第１部屋の床に前記第１部屋内と前記第１部屋床下空間を連通する第１通気口が設けられ、
前記第１送気システムは、
屋根面と太陽電池パネルの間の屋根上空気通路から取り込んだ空気を前記第１部屋床下空間に吹き出す第１状態と、
前記蓄熱槽から取り込んだ空気を前記第１部屋床下空間に吹き出す第２状態と
をとる
冷暖房システム。
【請求項２】
前記第１送気システムは、
前記屋根上空気通路と前記蓄熱槽とを接続するメインダクトと、
前記メインダクトから分岐した空気吹き出しダクトと、
前記空気吹き出しダクトに設けられたダンパと
を備え、
前記第１送気システムは、前記第１状態及び前記第２状態の各々において、前記空気吹き出しダクトを介して前記第１部屋床下空間に空気を吹き出す
請求項１の冷暖房システム。
【請求項３】
前記第１送気システムは、前記メインダクトに設けられたファンを備え、
前記ファンは、前記太陽電池パネルが発電した電力により駆動される
請求項２の冷暖房システム。
【請求項４】
前記第１蓄熱材は潜熱蓄熱材である
請求項１乃至３のいずれかに記載の蓄熱システム。
【請求項５】
前記上層階の第２部屋の床下の第２部屋床下空間に配置された第２蓄熱材を更に具備し、
前記第２部屋の床に前記第２部屋内と前記第２部屋床下空間を連通する第２通気口が設けられ、
前記第１部屋床下空間及び前記第２部屋床下空間は互いに仕切られ、
前記第１送気システムは、
前記第１状態において前記屋根上空気通路から取り込んだ空気を前記第２部屋床下空間に吹き出し、
前記第２状態において前記蓄熱槽から取り込んだ空気を前記第２部屋床下空間に吹き出す
請求項１乃至４のいずれかに記載の冷暖房システム。
【請求項６】
ヒートポンプ給湯器と、
第２送気システムと
を更に具備し、
前記ヒートポンプ給湯器は、
外気から熱を奪う室外機と、
前記熱を用いて水を加熱する給湯タンクと
を備え、
前記第２送気システムは、熱が奪われた前記外気を前記蓄熱槽に吹き出す
請求項１乃至５のいずれかに記載の冷暖房システム。
【請求項７】
前記蓄熱槽に配置される蓄熱ユニットを更に具備し、
前記蓄熱ユニットはキャスターを備える
請求項１乃至６のいずれかに記載の冷暖房システム。
【請求項８】
前記蓄熱ユニットは、
前記キャスターが取り付けられた棚と、
蓄熱材と
を備え、
前記棚は、複数の通気孔が形成された棚板を備え、
前記棚板に前記蓄熱材が載せられる
請求項７の冷暖房システム。
【請求項９】
屋根面と太陽電池パネルの間の屋根上空気通路から取り込んだ空気を第１部屋床下空間に吹き出すステップと、
地下又は半地下の蓄熱槽から取り込んだ空気を前記第１部屋床下空間に吹き出すステップと
を具備し、
前記第１部屋床下空間は、２階以上の上層階の第１部屋の床下の空間であり、
前記第１部屋床下空間に第１蓄熱材が配置され、
前記第１部屋の床に前記第１部屋内と前記第１部屋床下空間を連通する第１通気口が設けられる
冷暖房方法。
【請求項１０】
前記屋根上空気通路から取り込んだ空気を第２部屋床下空間に吹き出すステップと、
前記蓄熱槽から取り込んだ空気を前記第２部屋床下空間に吹き出すステップと
を更に具備し、
前記第２部屋床下空間は、前記上層階の第２部屋の床下の空間であり、
前記第２部屋床下空間に第２蓄熱材が配置され、
前記第２部屋の床に前記第２部屋内と前記第２部屋床下空間を連通する第２通気口が設けられ、
前記第１部屋床下空間及び前記第２部屋床下空間は互いに仕切られている
請求項９の冷暖房方法。
【請求項１１】
ヒートポンプ給湯器が外気から熱を奪うステップと、
熱が奪われた前記外気を前記蓄熱槽に吹き出すステップと
を更に具備する
請求項９又は１０の冷暖房方法。
【請求項１２】
前記蓄熱槽内の空気の通りみちの変化にあわせて前記蓄熱槽内で蓄熱ユニットの配置を変更するステップを更に具備する
請求項９乃至１１のいずれかに記載の冷暖房方法。
【発明の詳細な説明】
【技術分野】
【０００１】
本発明は、冷暖房システム及び冷暖房方法に関し、特にソーラーシステムハウスに好適な冷暖房システム及び冷暖房方法に関する。
【背景技術】
【０００２】
特許文献１は、太陽エネルギーを利用して室内の温度環境の改善を図るソーラーシステムハウスを開示している。ソーラーシステムハウスは、屋根面と太陽電池モジュールとの間に設けられた屋根上通気層を備える。送風用ファン装置は、外気を屋根上通気層に取り入れ、そこから各室に供給する。
【先行技術文献】
【特許文献】
【０００３】
【特許文献１】特開平９−１８４２０９号公報
【発明の概要】
【発明が解決しようとする課題】
【０００４】
本発明の目的は、省エネルギー化が実現される冷暖房システム及び冷暖房方法を提供することである。
【課題を解決するための手段】
【０００５】
以下に、（発明を実施するための形態）で使用される番号を用いて、課題を解決するための手段を説明する。これらの番号は、（特許請求の範囲）の記載と（発明を実施するための形態）との対応関係を明らかにするために付加されたものである。ただし、それらの番号を、（特許請求の範囲）に記載されている発明の技術的範囲の解釈に用いてはならない。
【０００６】
本発明による冷暖房システムは、２階以上の上層階（２０）の第１部屋（２１Ａ）の床下の第１部屋床下空間（２５Ａ）に配置された第１蓄熱材（４１Ａ）と、地下又は半地下の蓄熱槽（１５）と、第１送気システム（３０）とを具備する。前記第１部屋の床（２２Ａ）に前記第１部屋内と前記第１部屋床下空間を連通する第１通気口（２３Ａ）が設けられる。前記第１送気システムは、屋根面（２）と太陽電池パネル（３）の間の屋根上空気通路（４）から取り込んだ空気を前記第１部屋床下空間に吹き出す第１状態と、前記蓄熱槽から取り込んだ空気を前記第１部屋床下空間に吹き出す第２状態とをとる。
【０００７】
冷暖房を部屋ごとに行うことが可能であるため、省エネルギー化が実現される。
【０００８】
前記第１送気システムは、前記屋根上空気通路と前記蓄熱槽とを接続するメインダクト（３１）と、前記メインダクトから分岐した空気吹き出しダクト（３３Ａ）と、前記空気吹き出しダクトに設けられたダンパ（３９Ａ）を備える。前記第１送気システムは、前記第１状態及び前記第２状態の各々において、前記空気吹き出しダクトを介して前記第１部屋床下空間に空気を吹き出す。
【０００９】
ダンパの開度を変更することで、部屋ごとの温度制御が可能である。
【００１０】
前記第１送気システムは、前記メインダクトに設けられたファン（３５）を備える。前記ファンは、前記太陽電池パネルが発電した電力により駆動される。
【００１１】
ファンが太陽光発電電力により駆動されるため、更に省エネルギー化が図られる。
【００１２】
前記第１蓄熱材は潜熱蓄熱材である。
【００１３】
潜熱型の蓄熱材を用いることにより大量の蓄熱が可能となり、熱の損失も防がれる。
【００１４】
上記冷暖房システムは、前記上層階の第２部屋（２１Ｂ）の床下の第２部屋床下空間（２５Ｂ）に配置された第２蓄熱材（４１Ｂ）を更に具備する。前記第２部屋の床（２２Ｂ）に前記第２部屋内と前記第２部屋床下空間を連通する第２通気口（２３Ｂ）が設けられる。前記第１部屋床下空間及び前記第２部屋床下空間は互いに仕切られている。前記第１送気システムは、前記第１状態において前記屋根上空気通路から取り込んだ空気を前記第２部屋床下空間に吹き出し、前記第２状態において前記蓄熱槽から取り込んだ空気を前記第２部屋床下空間に吹き出す。
【００１５】
部屋ごとに空間が区切られているため、第１部屋（２１Ａ）と第２部屋（２１Ｂ）との間で住人のプライバシーが確保される。
【００１６】
上記冷暖房システムは、ヒートポンプ給湯器（５０）と、第２送気システム（６０）とを更に具備する。前記ヒートポンプ給湯器は、外気から熱を奪う室外機（５２）と、前記熱を用いて水を加熱する給湯タンク（５１）とを備える。前記第２送気システムは、熱が奪われた前記外気を前記蓄熱槽に吹き出す。
【００１７】
したがって、ヒートポンプ給湯器（５０）からの冷排熱を利用した冷房が可能である。
【００１８】
上記冷暖房システムは、前記蓄熱槽に配置される蓄熱ユニット（４０）を更に具備する。前記蓄熱ユニットはキャスター（４４）を備える。
【００１９】
キャスター（４４）により、蓄熱槽（１５）内の空気の通りみちの変化にあわせて蓄熱ユニット（４０）の配置を変更することが容易である。
【００２０】
前記蓄熱ユニットは、前記キャスターが取り付けられた棚（４２）と、蓄熱材（４１）とを備える。前記棚は、複数の通気孔が形成された棚板（４３）を備える。前記棚板に前記蓄熱材が載せられる。
【００２１】
したがって、蓄熱材（４１）の下側においても蓄熱材（４１）と空気との熱交換が確保される。
【００２２】
本発明による冷暖房方法は、屋根面（２）と太陽電池パネル（３）の間の屋根上空気通路（４）から取り込んだ空気を第１部屋床下空間（２５Ａ）に吹き出すステップと、地下又は半地下の蓄熱槽（１５）から取り込んだ空気を前記第１部屋床下空間に吹き出すステップとを具備する。前記第１部屋床下空間は、２階以上の上層階（２０）の第１部屋（２１Ａ）の床下の空間である。前記第１部屋床下空間に第１蓄熱材（４１Ａ）が配置される。  前記第１部屋の床（２２Ａ）に前記第１部屋内と前記第１部屋床下空間を連通する第１通気口（２３Ａ）が設けられる。
【００２３】
冷暖房を部屋ごとに行うことが可能であるため、省エネルギー化が実現される。
【００２４】
上記冷暖房方法は、前記屋根上空気通路から取り込んだ空気を第２部屋床下空間（２５Ｂ）に吹き出すステップと、前記蓄熱槽から取り込んだ空気を前記第２部屋床下空間に吹き出すステップとを更に具備する。前記第２部屋床下空間は、前記上層階の第２部屋（２１Ｂ）の床下の空間である。前記第２部屋床下空間に第２蓄熱材（４１Ｂ）が配置される。前記第２部屋の床（２２Ｂ）に前記第２部屋内と前記第２部屋床下空間を連通する第２通気口（２３Ｂ）が設けられる。前記第１部屋床下空間及び前記第２部屋床下空間は互いに仕切られている。
【００２５】
部屋ごとに空間が区切られているため、第１部屋（２１Ａ）と第２部屋（２１Ｂ）との間で住人のプライバシーが確保される。
【００２６】
上記冷暖房方法は、ヒートポンプ給湯器（５０）が外気から熱を奪うステップと、熱が奪われた前記外気を前記蓄熱槽に吹き出すステップとを更に具備する。
【００２７】
したがって、ヒートポンプ給湯器（５０）からの冷排熱を利用した冷房が可能である。
【００２８】
上記冷暖房方法は、前記蓄熱槽内の空気の通りみちの変化にあわせて前記蓄熱槽内で蓄熱ユニット（４０）の配置を変更するステップを更に具備する。
【００２９】
したがって、蓄熱ユニット（４０）と空気とが確実に熱交換される。
【発明の効果】
【００３０】
本発明によれば、省エネルギー化が実現される冷暖房システム及び冷暖房方法が提供される。
【図面の簡単な説明】
【００３１】
【図１】図１は、本発明の第１の実施形態に係る冷暖房システムの暖房状態を示す概略図である。
【図２】図２は、蓄熱ユニットを示す。
【図３】図３は、第１の実施形態に係る冷暖房システムの冷房状態を示す概略図である。
【図４】図４は、本発明の第２の実施形態に係る冷暖房システムの一部を示す。
【発明を実施するための形態】
【００３２】
添付図面を参照して、本発明による冷暖房システム及び冷暖房方法を実施するための形態を以下に説明する。
【００３３】
（第１の実施形態）
図１を参照して、本発明の第１の実施形態に係る冷暖房システムを説明する。冷暖房システムが適用される建物１は、下層階１０と、上層階２０と、屋根面２と、屋根面２に設けられた太陽電池パネル３と、基礎コンクリート９と、断熱材７とを備える。太陽電池パネル３は、太陽からの光エネルギーを利用して発電を行う。発電された電力は、二次電池に貯えられてから、又は二次電池に貯えられずに直接に、建物１内で使用される。
【００３４】
以下、下層階１０が１階、且つ、上層階２０が２階の場合を説明するが、下層階１０は地階でもよく、上層階２０は３階以上であってもよい。
【００３５】
太陽電池パネル３は、屋根面２と太陽電池パネル３との間に間隔が設けられるように屋根面２を覆う。屋根面２と太陽電池パネル３との間に屋根上空気通路４が形成されている。屋根上空気通路４に外気を取り入れるための通気口５が屋根上空気通路４の軒側部分に設けられている。
【００３６】
下層階１０の床１２及び天井１４の間が部屋１１となっている。部屋１１は、例えば、居間である。床１２の下に床下空間としての蓄熱槽１５が配置されている。床１２には、部屋１１内と蓄熱槽１５を連通する通気口１３が設けられている。通気口１３は、例えばスリット状に形成されている。蓄熱槽１５は、基礎コンクリート９及び床１２の間に位置する。床１２は地表面８より高く、基礎コンクリート９の上面６は地表面８より低い。断熱材７は、地表面８から深さＨにわたって設けられている。深さＨは、通常より深い１．５ｍ〜２ｍであることが好ましい。断熱材７により、基礎コンクリート７は、地面の浅い部分と熱的に接続されず、地面の深い部分と熱的に接続される。蓄熱槽１５に蓄熱ユニット４０が配置される。下層階１０が一階の場合、蓄熱槽１５は半地下空間であり、下層階１０が地階の場合、蓄熱槽１５は地下空間である。
【００３７】
上層階２０は、部屋２１Ａ及び２１Ｂを含む。部屋２１Ａ及び２１Ｂは、例えば、寝室又は子供部屋である。部屋２１Ａの床２２Ａの下に床下空間２５Ａが形成されている。床下空間２５Ａは、上層階２０のすぐ下の階である下層階１０の天井１４と床２２Ａとの間に挟まれている。床２２Ａには、部屋２１Ａ内と床下空間２５Ａを連通する通気口２３Ａが設けられている。部屋２１Ｂの床２２Ｂの下に床下空間２５Ｂが形成されている。床下空間２５Ｂは、天井１４と床２２Ｂとの間に挟まれている。床２２Ｂには、部屋２１Ｂ内と床下空間２５Ｂを連通する通気口２３Ｂが設けられている。通気口２３Ａ及び２３Ｂは、例えば、スリット状に形成されている。部屋２１Ａ及び２１Ｂは、部屋２１Ａの壁２４Ａ及び部屋２１Ｂの壁２４Ｂによって互いに仕切られている。床下空間２５Ａ及び２５Ｂは、区画壁２６Ａ及び２６Ｂによって互いに仕切られている。床下空間２５Ａに蓄熱材４１Ａが配置され、床下空間２５Ｂに蓄熱材４１Ｂが配置される。
【００３８】
なお、部屋２１Ａ及び２１Ｂが一つの壁によって互いに仕切られていてもよく、床下空間２５Ａ及び２５Ｂが一つの区画壁によって互いに仕切られていてもよい。
【００３９】
第１の実施形態に係る冷暖房システムは、蓄熱槽１５と、蓄熱材４１Ａ及び４１Ｂと、送気システム３０とを備える。送気システム３０は、蓄熱槽１５と屋根上空気通路４の棟側部分とを接続するメインダクト３１と、バイパスダクト３２と、空気吹き出しダクト３３Ａと、空気吹き出しダクト３３Ｂと、ファン３５と、ダンパ３６〜３８、３９Ａ、及び３９Ｂとを備える。太陽電池パネル３が発電した電力を用いてファン３５を駆動することが可能である。ダンパ３６、ファン３５、及びダンパ３７はメインダクト３１に設けられている。バイパスダクト３２の一端が分岐部３０ａにおいてメインダクト３１に接続され、バイパスダクト３２の他端が分岐部３０ｂにおいてメインダクト３１に接続されている。ダンパ３８はバイパスダクト３２に設けられている。空気吹き出しダクト３３Ａ及び３３Ｂは、分岐部３０ｃにおいてメインダクト３１から分岐している。空気吹き出しダクト３３Ａに空気吹き出し口３４Ａが形成され、空気吹き出しダクト３３Ｂに空気吹き出し口３４Ｂが形成されている。空気吹き出し口３４Ａ及び３４Ｂは、それぞれ床下空間２５Ａ及び２５Ｂに配置される。ダンパ３９Ａが空気吹き出しダクト３３Ａに設けられ、ダンパ３９Ｂが空気吹き出しダクト３３Ｂに設けられている。メインダクト３１に沿って、ダンパ３６よりも蓄熱槽１５の近くに分岐部３０ａが位置し、分岐部３０ａよりも蓄熱槽１５の近くにファン３５が位置し、ファン３５よりも蓄熱槽１５の近くに分岐部３０ｃが位置し、分岐部３０ｃよりも蓄熱槽１５の近くにダンパ３７が位置し、ダンパ３７よりも蓄熱槽１５の近くに分岐部３０ｂが位置する。
【００４０】
図２を参照して、蓄熱ユニット４０を説明する。蓄熱ユニット４０は、複数の蓄熱材４１と、棚４２と、棚４２に取り付けられたキャスター４４とを備える。棚４２は、複数の棚板４３を備える。各棚板４３に蓄熱材４１が載せられている。各蓄熱材４１の上及び各棚板４３の下には隙間が設けられているため、蓄熱材４１と蓄熱槽１５内の空気との熱交換が促進される。各棚板４３には複数の通気孔が設けられている。そのため、蓄熱材４１の下側においても蓄熱材４１と空気との熱交換が確保される。棚板４３として、メッシュやパンチングメタルプレートが例示される。蓄熱ユニット４０がキャスター４４を備えるため、蓄熱ユニット４０は蓄熱槽１５を容易に移動できる。
【００４１】
蓄熱材４１、４１Ａ、及び４１Ｂは、レンガのような顕熱型の蓄熱材であってもよいが、化学薬品系の潜熱型の蓄熱材であることが好ましい。潜熱型の蓄熱材を用いることにより大量の蓄熱が可能となり、熱の損失も防がれる。潜熱型の蓄熱材が融解及び凝固することにより、潜熱型の蓄熱材の温度変化をほとんど伴わずに大量の熱が出入りする。潜熱型の蓄熱材の融解温度及び凝固温度は、使用目的にあわせて設定することが可能である。例えば、硫酸ナトリウム、酢酸ナトリウムまたはパラフィンを含み、凝固温度が４０℃程度、融解温度が４２℃程度に設定された潜熱型の蓄熱材は、冬季の使用に好適である。異なる融解温度及び凝固温度に設定された潜熱型の蓄熱材を用意し、季節に応じて使い分けることが好ましい。
【００４２】
以下、本実施形態に係る冷暖房システムの動作を説明する。
【００４３】
はじめに、図１を参照して、冬季の晴れた日中に好適な動作を説明する。太陽電池パネル３は、太陽からの光エネルギーを利用して発電を行う。また、太陽電池パネル３は、太陽からの熱エネルギーを受けるために温度が高くなる。そこで、ダンパ３６、３７、３９Ａ、及び３９Ｂが開き、ダンパ３８が閉じた状態で、ファン３５が動作する。外気が通気口５から屋根上空気通路４に取り入れられ、太陽電池パネル３との熱交換により暖められる。送気システム３０は、太陽電池パネル３との熱交換で暖められた空気を屋根上空気通路４から取り込んで、蓄熱槽１５、床下空間２５Ａ、及び床下空間２５Ｂにそれぞれ温風として吹き出す。
【００４４】
蓄熱槽１５に吹き出された温風は、蓄熱槽１５を通って通気口１３から部屋１１内に吹き出す。これにより部屋１１が暖房される。このとき、蓄熱槽１５を通る温風と蓄熱ユニット４０及び基礎コンクリート９とが熱交換し、蓄熱ユニット４０及び基礎コンクリート９が蓄熱される。
【００４５】
床下空間２５Ａに吹き出された温風は、床下空間２５Ａを通って通気口２３Ａから部屋２１内に吹き出す。これにより部屋２１Ａが暖房される。このとき、床下空間２５Ａを通る温風と蓄熱材４１Ａとが熱交換し、蓄熱材４１Ａが蓄熱される。床下空間２５Ｂに吹き出された温風によっても、床下空間２５Ａに吹き出された温風の場合と同様に、部屋２１Ｂが暖房され、蓄熱材４１Ｂが蓄熱される。
【００４６】
したがって、ファン３５を駆動するだけで部屋１１、２１Ａ、及び２１Ｂが暖房される。
【００４７】
冬季の夜間においては、蓄熱ユニット４０に蓄熱された熱が放熱されて部屋１１が暖房され、蓄熱材４１Ａに蓄熱された熱が放熱されて部屋２１Ａが暖房され、蓄熱材４１Ｂに蓄熱された熱が放熱されて部屋２１Ｂが暖房される。部屋１１、２１Ａ、及び２１Ｂごとに空間が区切られており、各部屋に対応して蓄熱材が設けられているため、ファン３５を駆動しなくても部屋１１、２１Ａ、及び２１Ｂが暖房される。
【００４８】
次に、図３を参照して、夏季に好適な動作を説明する。この動作は、昼夜を問わず行われてもよい。夏季においては、蓄熱槽１５の温度が外気温よりも低くなる。上面６で蓄熱槽１５に接している基礎コンクリート９が、年間を通じて温度が一定の地面の深い部分と熱的に接続され、夏季に温度が上昇する地面の浅い部分と熱的に接続されないことが理由の一つである。そこで、ダンパ３６及び３７が閉じ、ダンパ３８、３９Ａ、及び３９Ｂが開いた状態で、ファン３５が動作する。送気システム３０は、蓄熱槽１５から冷たい空気を取り込んで床下空間２５Ａ及び２５Ｂにそれぞれ冷風として吹き出す。
【００４９】
床下空間２５Ａに吹き出された冷風は、床下空間２５Ａを通って通気口２３Ａから部屋２１Ａ内に吹き出す。これにより部屋２１Ａが冷房される。床下空間２５Ｂに吹き出された冷風によっても、床下空間２５Ａに吹き出された冷風の場合と同様に、部屋２１Ｂが冷房される。
【００５０】
部屋１１は、部屋２１Ａ及び２１Ｂからの戻り空気によって冷房される。戻り空気は、通気口１３を通って蓄熱槽１５に流入し、蓄熱ユニット４０又は基礎コンクリート９との熱交換により冷却された後、送気システム３０に取り込まれる。
【００５１】
したがって、ファン３５を駆動するだけで部屋１１、２１Ａ、及び２１Ｂが冷房される。
【００５２】
本実施形態によれば、冷暖房を部屋ごとに行うことが可能であるため、省エネルギー化が実現される。仮に建物１内が連続した一つの空間となるように構成されている場合、廊下なども部屋と一緒に冷暖房されるため、冷暖房のエネルギーが余計に必要となる。
【００５３】
更に、部屋２１Ａと部屋２１Ｂとの間で住人のプライバシーが確保される。
【００５４】
更に、送気システム３０は、ダンパ３９Ａが設けられた空気吹き出しダクト３３Ａを介して床下空間２５Ａに温風及び冷風を吹き出し、ダンパ３９Ｂが設けられた空気吹き出しダクト３３Ｂを介して床下空間２５Ｂに温風及び冷風を吹き出す。ダンパ３９Ａ及び３９Ｂの開度を個別に変更することで、部屋２１Ａ及び２１Ｂの温度を個別に制御することが可能である。
【００５５】
更に、蓄熱ユニット４０がキャスター４４により蓄熱槽１５内を容易に移動できるため、蓄熱材４１の交換作業が容易になる。また、蓄熱槽１５内の空気の通りみちの変化にあわせて蓄熱ユニット４０の配置を変更することも容易である。蓄熱ユニット４０の配置を変更することで、蓄熱ユニット４０と空気とが確実に熱交換される。なお、蓄熱材４１Ａ及び４１Ｂを蓄熱ユニット４０で置き換えることも有効である。
【００５６】
以上、部屋２１Ａ及び部屋２１Ｂが同じ階に配置される場合を説明したが、部屋２１Ａと部屋２１Ｂとが別の階に配置されていてもよい。
【００５７】
（第２の実施形態）
図４を参照して、本発明の第２の実施形態に係る冷暖房システムを説明する。本実施形態に係る冷暖房システムは、第１の実施形態に係る冷暖房システムにヒートポンプ給湯器５０及び送気システム６０が追加されたものである。ヒートポンプ給湯器５０は、外気から熱を奪う室外機５２と、その熱を用いて水を加熱する給湯タンク５１とを備える。
【００５８】
送気システム６０は、室外機５２と蓄熱槽１５を接続するメインダクト６１と、排気ダクト６７と、ファン６３と、フィルタ６４と、ダンパ６５及び６６を備える。ファン６３、フィルタ６４、及びダンパ６５はメインダクト６１に設けられている。排気ダクト６２は、分岐部６１ａにおいてメインダクト６１から分岐している。排気ダクト６２に排気口６７が形成されている。ダンパ６６は排気ダクト６２に設けられている。メインダクト６１に沿って、分岐部６１ａよりも蓄熱槽１５の近くにファン６３が位置し、ファン６３よりも蓄熱槽１５の近くにフィルタ６４が位置し、フィルタ６４よりも蓄熱槽１５の近くにダンパ６５が位置する。
【００５９】
本実施形態に係る冷暖房システムにおいては、以下の動作が追加される。
【００６０】
はじめに、冬季及び中間期に好適な動作を説明する。ヒートポンプ給湯器５０が運転中のとき、ダンパ６５が閉じ、ダンパ６６が開いた状態である。このとき、蓄熱槽１５が室外機５２から遮断され、且つ、排気口６７が室外機５２に接続される。室外機５２からの排気は、排気口６７から大気中に放出され、蓄熱槽１５に流入しない。
【００６１】
次に、夏季に好適な動作を説明する。ヒートポンプ給湯器５０が運転中のとき、ダンパ６５が開き、ダンパ６６が閉じた状態で、ファン６３が動作する。ヒートポンプ給湯器５０の運転中、室外機５２は外気から熱を奪う。送気システム６０は、室外機５２によって熱が奪われた外気を蓄熱槽１５に冷風として吹き出す。この結果、蓄熱槽１５内の空気が冷却され、且つ、蓄熱槽１５に吹き出された外気により運ばれた冷熱が蓄熱ユニット４０及び基礎コンクリート９に蓄熱される。蓄熱ユニット４０及び基礎コンクリート９に蓄熱された冷熱は、ヒートポンプ給湯器５０の停止中に放出されて蓄熱槽１５内の空気を冷す。蓄熱槽１５の冷たい空気は、上述したように、部屋１１、２１Ａ、及び２１Ｂの冷房に用いられる。ヒートポンプ給湯器５０の冷排熱が冷房に用いられるため、省エネルギー化が実現される。
【符号の説明】
【００６２】
１…建物
２…屋根面
３…太陽電池パネル
４…屋根上空気通路
５…通気口
６…上面
７…断熱材
８…地表面
９…基礎コンクリート
１０…下層階
１１…部屋
１２…床
１３…通気口
１４…天井
１５…蓄熱槽
２０…上層階
２１Ａ、２１Ｂ…部屋
２２Ａ、２２Ｂ…床
２３Ａ、２３Ｂ…通気口
２４Ａ、２４Ｂ…壁
２５Ａ、２５Ｂ…床下空間
２６Ａ、２６Ｂ…区画壁
３０…送気システム
３０ａ〜３０ｃ…分岐部
３１…メインダクト
３２…バイパスダクト
３３Ａ、３３Ｂ…空気吹き出しダクト
３４Ａ、３４Ｂ…空気吹き出し口
３５…ファン
３６〜３８、３９Ａ、３９Ｂ…ダンパ
４０…蓄熱ユニット
４１、４１Ａ、４１Ｂ…蓄熱材
４２…棚
４３…棚板
４４…キャスター
５０…ヒートポンプ給湯器
５１…給湯タンク
５２…室外機
６０…送気システム
６１…メインダクト
６１ａ…分岐部
６２…排気ダクト
６３…ファン
６４…フィルタ
６５、６６…ダンパ
６７…排気口
【図１】
2010230200.tif 000003
【図２】
2010230200.tif 000004
【図３】
2010230200.tif 000005
【図４】
2010230200.tif 000006